(57)【特許請求の範囲】
【請求項１】
外周の全周に亘って開口するように全方向吸気口が形成されると共に、中央部に送気口が形成され、この送気口と全方向吸気口が傾斜風路で連通され、前記送気口に軸流ファンによる送気ファンが設けられている送風装置と、
下面に前記送風装置の組み付け穴が形成され、正面上部に前向延長部が形成され、この前向延長部の先端が排気口に形成された送風ケーシングを備えた建物換気装置を用いた小屋裏換気構造であって、
送風ケーシングの前向延長部が、屋根下地を形成する野地板と、たる木と、軒桁とで囲まれる開口部に小屋裏から屋外に向けて挿入されて、先端の排気口が屋外に臨むように、建物換気装置が小屋裏に取り付けられていることを特徴とした小屋裏換気構造。
【請求項２】
請求項１記載の小屋裏換気構造において、送風ケーシングの下面が背面方向に上り傾斜して形成され、この送風ケーシングの下面に形成された組み付け穴に送風装置を取り付けることで、この送風装置による送風方向が前向延長部に向くように、送風装置が前傾して取り付けられている小屋裏換気構造。
【請求項３】
請求項１又は２記載の小屋裏換気構造において、送風ケーシングが、背面側から正面側に向けて次第に幅広くなるように形成されている小屋裏換気構造。
【発明の詳細な説明】
【０００１】
【発明の属する技術分野】
本発明は、建物の小屋裏の換気に使用される小屋裏換気構造に関する。
【０００２】
【従来の技術】
本出願人において、小屋裏や床下等に設置する換気装置として、外周の全周に亘って開口するように全方向吸気口が形成されると共に、中央部に送気口が形成され、この送気口と全方向吸気口が傾斜風路で連通され、前記送気口に軸流ファンによる送気ファンが設けられているものを既に提案している（特開２００１−１２４３７９号公報）。
この換気装置は、送気口を換気開口部に直接に臨ませるように設置されるもので、換気用開口部が狭い場合には、これを設置することができないという問題を残していた。
【０００３】
尚、従来、換気装置を小屋裏に設置する場合でも、建物によっては、妻壁及び軒天井が設けられていない場合があり、このような建物では、従来の換気装置を適用することができないという問題があった。
【０００４】
【発明が解決しようとする課題】
本発明は、上記のような問題に鑑み、妻壁及び軒天井が設けられていない建物の小屋裏であっても設置することができるようにした小屋裏換気構造を提供することを課題としている。
【０００５】
【課題を解決するための手段】
上記の課題を解決するために、本発明の小屋裏換気構造（請求項１）は、
外周の全周に亘って開口するように全方向吸気口が形成されると共に、中央部に送気口が形成され、この送気口と全方向吸気口が傾斜風路で連通され、前記送気口に軸流ファンによる送気ファンが設けられている送風装置と、
下面に前記送風装置の組み付け穴が形成され、正面上部に前向延長部が形成され、この前向延長部の先端が排気口に形成された送風ケーシングを備えた建物換気装置を用いた小屋裏換気構造であって、
送風ケーシングの前向延長部が、屋根下地を形成する野地板と、たる木と、軒桁とで囲まれる開口部に小屋裏から屋外に向けて挿入されて、先端の排気口が屋外に臨むように、建物換気装置が小屋裏に取り付けられている構成とした。
【０００６】
この小屋裏換気構造（請求項１）では、送気ファンを作動させると、小屋裏の湿った空気は、全方向吸気口より吸い込まれ、送気口から送風ケーシング内に送気され、さらに送風ケーシング内を通って前向延長部の先端に形成した排気口から屋外に排気される。
屋根下地を形成する野地板と、たる木と、軒桁とで囲まれる開口部は、通常は面倒板によって塞がれるものであるが、本発明の小屋裏換気構造（請求項１）は、この開口部に着目し、これを利用して換気するようにしたものである。
このように送風ケーシングを設け、この送風ケーシングに換気用開口部に挿入される形状の前向延長部を形成し、この前向延長部が、屋根下地を形成する野地板と、たる木と、軒桁とで囲まれる開口部に挿入される形状に形成されているため、この開口部を利用して小屋裏の換気ができる。
【０００７】
尚、本発明の小屋裏換気構造において、送風ケーシングの下面が背面方向に上り傾斜して形成され、この送風ケーシングの下面に形成された組み付け穴に送風装置を取り付けることで、この送風装置による送風方向が前向延長部に向くように、送風装置が前傾して取り付けられている態様（請求項２）がある。
この場合、送風装置による送風方向が前向延長部に向いているため、送風装置による空気の送り出しがスムーズになる。
【０００８】
又、本発明の小屋裏換気構造において、送風ケーシングが、背面側から正面側に向けて次第に幅広くなるように形成されている態様（請求項３）がある。
この場合、送風ケーシング内を空気が排気口に向けて広がるように流動するため、送風抵抗が軽減され、スムーズな送気ができる。
【０００９】
【発明の実施の形態】
以下、本発明の実施の形態を図面により説明する。図１は本発明の小屋裏換気構造の実施の１形態を示す側面断面図、図２はこの小屋裏換気構造の平面図、図３はこの小屋裏換気構造の正面図である。
【００１０】
この小屋裏換気構造は、屋根下地を形成する野地板９０と、たる木９１，９１と、軒桁９２とで囲まれる開口部Ｓを換気口として利用したものである。
図において、Ａは建物換気装置で、送風装置１と、送風ケーシング２を備えている。
【００１１】
前記送風装置１には、山形状に形成された底板部材１０と上板部材１１を、放射状に配設した仕切板材１４により間隔を保持して対向させた傾斜風路１２が形成されている。この傾斜風路１２の外周全周に亘って全方向吸気口１３が形成され、又、上板部材１１の中央部に、傾斜風路１２に連通する送気口１５が形成されている。
【００１２】
そして、前記送気口１５に軸流ファンによる送気ファン１６が設けられるもので、この送気ファン１６により、全方向吸気口１３から傾斜風路１２を経て流入した空気は送気口１５から上向きに送気される。
尚、図中１７はファンモータで、直流モータ又は交流モータのいずれでも使用できるし、電源もＤＣ電源、ＡＣ電源、あるいは太陽電池を使用することもできる。
【００１３】
又、送風ケーシング２は、平面形状が方形の扁平ボックス形状に形成され、たる木９１，９１間に納まる横幅で形成された上側部２０と、この上側部２０の両側から外方に張り出て、その張り出し部２１，２１がたる木９１，９１の底面に当接するようにした下側部２２とで形成されている。
この下側部２２の下面は背面方向に上り傾斜して形成され、又、この下面に前記送風装置１の組み付け穴２６が形成されている。
前記上側部２０の正面には、開口部Ｓに挿入される前向延長部２３が形成され、この前向延長部２３の先端が排気口２４に形成されている。尚、この排気口２４には、虫等の侵入を防止するためのネット２５が張設されている。
又、上側部２０の上面には、凹筋状の補強リブ２７が上側部２０の内部に突出するように形成され、この補強リブ２７は、上側部２０の上面両側と上面基端側に延長するような略Ｕ字状に形成されている。従って、上側部２０の天井面には略Ｕ字状の補強リブ２７が突出しており、この補強リブ２７によって、送風を上側部２０の周壁に沿わせながら前向延長部２３に向けて流動させるようにガイドさせることができる。
又、送風ケーシング２の横幅について、図２で示すように、背面側から正面側に向けて次第に幅広くなるように形成されている。
【００１４】
そして、この送風ケーシング２に送風装置１が取り付けられることで建物換気装置Ａが形成されるもので、この場合、送風装置１の送気口１５が送風ケーシング２の内部に臨む状態で、送風装置１による送風方向が前向延長部２３に向くように、送風装置１が前傾して送風ケーシング２の組み付け穴２６に取り付けられている。
【００１５】
このようにして形成された建物換気装置Ａは、送風ケーシング２の前向延長部２３が、開口部Ｓに小屋裏から屋外に向けて挿入されて、先端の排気口２４が屋外に臨むように、金具３によって小屋裏のたる木９１に取り付けられている。この場合、上側部２０がたる木９１，９１間に納まり、下側部２２の張り出し部２１，２１がたる木９１，９１の底面に当接するため送風がスムーズに行なえるし、建物換気装置Ａを安定して取り付けることもできる。尚、たる木９１，９１の間隔が広い場合には、片方の張り出し部２１を一方のたる木９１の底面に当接させるように取り付けてもよい。
【００１６】
従って、この小屋裏換気構造では、前向延長部２３が開口部Ｓに、屋外に向けて挿入されて、先端の排気口２４が屋外に臨むため、送気ファン１６を作動させると、小屋裏内の湿った空気は、全方向吸気口１３より吸い込まれ、送気口１５から送風ケーシング２内に送気され、さらに送風ケーシング２内を通って前向延長部２３の先端に形成した排気口２４から屋外に排気される。これにより、小屋裏内を換気することができる。
このように送風ケーシング２を設け、この送風ケーシング２に開口部Ｓに挿入される形状の前向延長部２３を形成したので、このような開口部Ｓが狭い場合でも建物換気装置Ａを設置することができる。
【００１７】
この場合、送風装置１の外周全周に亘って開口するように全方向吸気口１３が形成されているため、空気の吸気方向が３６０度全方向になる。このため、周囲の全方向から空気を吸い込むことができ、局部的な障害物があっても換気効率が低下せず、高い換気性能を得ることができる。
【００１８】
又、送風装置１による送風方向が前向延長部２３に向いているため、送風装置１による空気の送り出しがスムーズになるし、送風ケーシング２内を空気が排気口２４に向けて広がるように流動するため、送風抵抗が軽減され、スムーズな送気ができる。
【００１９】
以上、本発明の実施の形態を図面により説明したが、具体的な構成はこれに限定されることはない。
【００２０】
【発明の効果】
以上説明してきたように、本発明の小屋裏換気構造にあっては、上述のように構成したので、妻壁及び軒天井が設けられていない建物の小屋裏であっても、屋根下地を形成する野地板と、たる木と、軒桁とで囲まれる開口部を換気口として利用でき、妻壁及び軒天井が設けられていない建物の小屋裏換気ができる。
【図面の簡単な説明】
【図１】本発明の小屋裏換気構造の実施の１形態を示す側面断面図である。
【図２】この小屋裏換気構造の平面図である。
【図３】この小屋裏換気構造の正面図である。
【符号の説明】
１  送風装置
１２  傾斜風路
１３  全方向吸気口
１５  送気口
１６  送気ファン
２  送風ケーシング
２０  上側部
２１  張り出し部
２２  下側部
２３  前向延長部
２４  排気口
２６  組み付け穴
９０  野地板
９１  たる木
９２  軒桁
Ａ  建物換気装置
Ｓ  開口部
【図１】
0003552636.tif 000002
【図２】
0003552636.tif 000003
【図３】
0003552636.tif 000004